(57)【要約】【課題】モニタ光の光量を好適に検出することができる発光制御装置を提供する。【解決手段】本発明の発光制御装置は、予備発光を行うリモート照明装置４０を使って多灯撮影を行うカメラの発光制御装置である。そして、定常光を測光する撮像センサ５と、撮像センサ５によって測光された定常光が、予め定められている定常光閾値よりも大きいか否か判断する予測演算部１６と、定常光が定常光閾値よりも大きいと判断された場合には、撮像光学系３に入射される入射光を減少させる減光フィルタ２を撮像光学系３の光軸Ａ上に移動させるＮＤフィルタ制御部２０と、減光フィルタ２が光軸Ａ上に移動される場合、減光フィルタ２の移動後にリモート照明装置４０に予備発光の開始を指示する照明制御部１４と、を備える。【選択図】図４
2014035446.tif 000002
【特許請求の範囲】
【請求項１】
予備発光を行う照明装置を使って多灯撮影を行うカメラの発光制御装置であって、
前記予備発光が行われていないタイミングで定常的にレンズに入射される定常光を測光する定常光測光部と、
前記定常光測光部によって測光された定常光が、予め定められている定常光閾値よりも大きいか否か判断する比較部と、
前記比較部によって前記定常光が前記定常光閾値よりも大きいと判断された場合には、前記レンズに入射される入射光を減少させる減光フィルタを前記レンズの光軸上に移動させる減光フィルタ移動部と、
前記減光フィルタ移動部によって前記減光フィルタが前記光軸上に移動される場合、前記減光フィルタの移動後に前記照明装置に前記予備発光の開始を指示する予備発光制御部と、
を備えることを特徴とする発光制御装置。
【請求項２】
請求項１に記載の発光制御装置であって、
前記予備発光制御部は、
前記減光フィルタ移動部によって前記減光フィルタが前記光軸上に移動されない場合、前記減光フィルタが前記光軸上に置かれていない状態で前記照明装置に前記予備発光の開始を指示することを特徴とする発光制御装置。
【請求項３】
請求項１または２に記載の発光制御装置であって、
前記予備発光の反射光を含む光を測光する予備発光測光部をさらに備え、
前記定常光閾値は、
前記予備発光測光部が予備発光の測光時に測光可能な光量の最大値から、前記予備発光の光量を差し引いた光量に基づく値であることを特徴とする発光制御装置。
【請求項４】
請求項３に記載の発光制御装置であって、
前記比較部は、
前記定常光測光部によって測光された定常光の光量を、前記予備発光測光部によって予備発光時に測光された場合の光量に変換し、変換後の光量を前記定常光閾値と比較することを特徴とする発光制御装置。
【請求項５】
請求項３または４のいずれか１項に記載の発光制御装置であって、
前記定常光測光部は、
前記定常光を、前記予備発光測光部が予備発光を測光する際の絞りと同一の絞りによって測光することを特徴とする発光制御装置。
【請求項６】
予備発光を行う照明装置を使って多灯撮影を行うカメラの発光制御装置において実行される発光制御プログラムであって、
コンピュータに、
前記予備発光が行われていないタイミングで定常的にレンズに入射される定常光を測光する機能と、
測光された前記定常光が、予め定められている定常光閾値よりも大きいか否か判断する機能と、
前記定常光が前記定常光閾値よりも大きいと判断された場合には、前記レンズに入射される入射光を減少させる減光フィルタを前記レンズの光軸上に移動させる機能と、
前記減光フィルタが前記光軸上に移動される場合、前記減光フィルタの移動後に、前記照明装置に前記予備発光の開始を指示する機能と、
を実現させることを特徴とする発光制御プログラム。
【発明の詳細な説明】
【技術分野】
【０００１】
本発明は、発光制御装置、発光制御プログラムに関するものである。
【背景技術】
【０００２】
現在、被写体の撮影に複数の照明装置を使う技術がある。このような撮影の手法は、多灯ライティング等とも呼ばれており、本明細書では、以降、「多灯撮影」と記すものとする。近年では、コンパクトカメラに外部照明装置を装着するホットシューもメーカ側から提供されており、コンパクトカメラに外部照明装置を装着して多灯撮影を行うことも行われている。多灯撮影では、照明装置による撮影時の発光（以下、「本発光」と記す）の光（以下、「照明光」と記す）の光量が撮影に先立って調整される。
【０００３】
多灯撮影に使用される照明装置には、カメラの本体に取り付けられるマスタ照明装置と、マスタ照明装置と通信するリモート照明装置とがある。特許文献１に記載された照明光量の調整では、マスタ照明装置あるいはリモート照明装置を予備発光（以下、「モニタ発光」と記す）させる。そして、モニタ発光された光（以下、「モニタ光」と記す）の反射光量をカメラのＣＣＤを使って測光し、測光された光量に基づいてマスタ照明装置あるいはリモート照明装置の本発光時の照明光量を決定している。
【先行技術文献】
【特許文献】
【０００４】
【特許文献１】特開２０１１−１２８６４４号公報
【発明の概要】
【発明が解決しようとする課題】
【０００５】
しかし、上記した特許文献１に記載の発明では、撮影環境下の定常的な光（以下、「定常光」と記す）とモニタ発光の反射光とを合わせた光がカメラによって測光される。このとき、モニタ光が大きいと、定常光と反射光との光量の合計が、カメラが測光できる光量の上限を超過し、本発光時の光量を適正に決定できない場合がある。
本発明の課題は、モニタ光の光量を好適に検出することができる発光制御装置、発光制御プログラムを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、予備発光を行う照明装置（４０）を使って多灯撮影を行うカメラの発光制御装置であって、前記予備発光が行われていないタイミングで定常的にレンズに入射される定常光を測光する定常光測光部（５）と、前記定常光測光部によって測光された定常光が、予め定められている定常光閾値よりも大きいか否か判断する比較部（１６）と、前記比較部によって前記定常光が前記定常光閾値よりも大きいと判断された場合には、前記レンズに入射される入射光を減少させる減光フィルタ（２）を前記レンズの光軸（Ａ）上に移動させる減光フィルタ移動部（２０）と、前記減光フィルタ移動部（２０）によって前記減光フィルタ（２）が前記光軸（Ａ）上に移動される場合、前記減光フィルタ（２）の移動後に前記照明装置（４０）に前記予備発光の開始を指示する予備発光制御部（１４）と、を備えることを特徴とする発光制御装置である。
請求項２に記載の発明は、請求項１に記載の発光制御装置であって、前記予備発光制御部（１４）が、前記減光フィルタ移動部（２０）によって前記減光フィルタ（２）が前記光軸（Ａ）上に移動されない場合、前記減光フィルタ（２）が前記光軸（Ａ）上に置かれていない状態で前記照明装置（４０）に前記予備発光の開始を指示することを特徴とする発光制御装置である。
請求項３に記載の発明は、請求項１または２に記載の発光制御装置であって、前記予備発光の反射光を含む光を測光する予備発光測光部（５）をさらに備え、前記定常光閾値は、前記予備発光測光部（５）が予備発光の測光時に測光可能な光量の最大値から、前記予備発光の光量を差し引いた光量に基づく値であることを特徴とする発光制御装置である。
請求項４に記載の発明は、請求項３に記載の発光制御装置であって、前記比較部（１６）が、前記定常光測光部（５）によって測光された定常光の光量を、前記予備発光測光部（５）によって予備発光時に測光された場合の光量に変換し、変換後の光量を前記定常光閾値と比較することを特徴とする発光制御装置である。
請求項５に記載の発明は、請求項３または４のいずれか１項に記載の発光制御装置であって、前記定常光測光部（５）が、前記定常光を、前記予備発光測光部（５）が予備発光を測光する際の絞りと同一の絞りによって測光することを特徴とする発光制御装置である。
請求項６に記載の発明は、予備発光を行う照明装置を使って多灯撮影を行うカメラの発光制御装置において実行される発光制御プログラムであって、コンピュータに、前記予備発光が行われていないタイミングで定常的にレンズに入射される定常光を測光する機能（ステップＳ２）と、測光された前記定常光が、予め定められている定常光閾値よりも大きいか否か判断する機能（ステップＳ６）と、前記定常光が前記定常光閾値よりも大きいと判断された場合には、前記レンズに入射される入射光を減少させる減光フィルタを前記レンズの光軸上に移動させる機能（ステップＳ７）と、前記減光フィルタが前記光軸上に移動される場合、前記減光フィルタの移動後に、前記照明装置に前記予備発光の開始を指示する機能（ステップＳ９）と、を実現させることを特徴とする発光制御プログラムである。
【発明の効果】
【０００８】
本発明によれば、モニタ光の光量を好適に検出することができる発光制御装置、発光制御プログラムを提供することができる。
【図面の簡単な説明】
【０００９】
【図１】本発明の一実施形態が適用されるカメラ１の外観を説明するための斜視図である。
【図２】本発明の一実施形態に適用される多灯撮影のシステムを説明するための図である。
【図３】本発明の一実施形態において、上限値以上の値を持つ入射光が上限値として処理された場合に起こる現象を説明するための図である。
【図４】本発明の一実施形態の発光制御装置を含むカメラ本体を説明するためのブロック図である。
【図５】本発明の一実施形態の発光制御装置の動作を説明するための図である。
【発明を実施するための形態】
【００１０】
以下、図面等を参照して、本発明の一実施形態について説明する。
［全体構成］
図１は、本実施形態が適用されるカメラ１の外観を説明するための斜視図である。カメラ１は、カメラ本体１０１と、マスタ照明装置１０２と、を備えている。カメラ本体１０１には、レリーズ（シャッター）ボタン１０３と、撮像光学系３と、が設けられている。本実施形態のカメラ１は、カメラ本体１０１と、レンズ鏡筒とが一体となっている、いわゆるコンパクトカメラである。マスタ照明装置１０２は、図示しないホットシューによってカメラ本体１０１に取り付けられる、外付けの照明装置である。
【００１１】
本実施形態は、このようなカメラ１を多灯撮影に使用し、モニタ光の光量を好適に検出することを目的とするものである。
【００１２】
［多灯撮影システム］
次に、本実施形態の詳細な説明に先立って、本実施形態の発光制御装置、発光制御プログラムが適用される多灯撮影システムと、多灯撮影システムにおいてモニタ光の正確な光量が検出できなかった場合に起こる現象について説明する。
図２は、多灯撮影のシステムを説明するための図である。本実施形態では、マスタ照明装置１０２がリモート照明装置４０に対してワイヤレスでモニタ発光を指示し、リモート照明装置４０のみがモニタ発光を行う多灯撮影のシステムを例にしている。このような多灯撮影は、被写体の光量が逆光等によって不足している場合ばかりでなく、画像にイメージ通りの陰影を与えたり、被写体の質感を変えたりする場合にも使用される。
【００１３】
多灯撮影のシステムは、マスタ照明装置１０２と、リモート照明装置４０と、カメラ本体１０１と、を含んでいる。マスタ照明装置１０２は、カメラ本体１０１に取り付けられ、カメラ本体１０１によって制御されている。マスタ照明装置１０２は、カメラ本体１０１の指示によってリモート照明装置４０にモニタ発光を指示するトリガパルスＰを送信することができる。リモート照明装置４０は、トリガパルスＰの指示にしたがってモニタ光Ｍを発光する。カメラ本体１０１は、モニタ光Ｍの反射光Ｒを測光する。そして、測光の結果から、本発光時の照明光量を決定する。
多灯撮影では、本発光時、マスタ照明装置１０２、リモート照明装置４０のいずれか、またはその両方が発光する。本発光時に発光された照明光は、被写体Ｓに照射され、被写体Ｓの明るさを調整する。
本実施形態においては、本発光に先立って行われるモニタ発光を適正に行うことができるか否かが判断される。
【００１４】
次に、図２に示した多灯撮影システムにおいて生じる現象について説明する。
リモート照明装置４０がモニタ発光を行うと、カメラ本体１０１には、モニタ光Ｍの反射光Ｒと、撮影環境下の定常光とが測光される。なお、本実施形態でいう定常光とは、モニタ発光が行われていないタイミングで撮像光学系３に入射される入射光を指す。定常光は、撮影環境下において一定の値とみなせる光であって、実質的には、撮像光学系３の入射光から、モニタ発光等によって生じた短時間のうちに変化する光を除いたものとなる。
【００１５】
カメラ本体１０１は、後述するように、入射光の光量を測光する撮像センサ等を備えている。撮像センサには、測光できる有限の光量の範囲（以下、「測光可能範囲」と記す）がある。撮像センサは、測光可能範囲以上の光が入射された場合、入射光の実際の光量によらず、この入射光が測光可能範囲の上限の値（以下、単に「上限値」と記す）を持つものとして処理することになる。
【００１６】
図３（ａ）、（ｂ）は、上限値以上の値を持つ入射光が上限値として処理された場合に起こる現象を説明するための図である。図３（ａ）、（ｂ）は、いずれもモニタ光Ｍの推定を説明するための模式図であり、図３（ａ）は入射光が測光可能範囲内にある場合を示している。図３（ｂ）は、入射光が測光可能範囲を超過している場合を示している。
【００１７】
図３（ａ）、（ｂ）のいずれにおいても、縦軸は撮像センサによって測光される入射光の光量である。図３（ａ）、（ｂ）中に、前記した上限値を破線で示す。
横軸に示した「定常光」はモニタ発光がされていないとき撮像センサに測光された光であって、具体的な測光方法については後述する。
【００１８】
「総合光」は、モニタ発光時に撮像センサに測光される光を示す。総合光には、モニタ光Ｍの反射光と定常光とが含まれる。反射光は、モニタ光が被写体Ｓによって反射された後に撮像センサによって測光された光であり、リモート照明装置４０と被写体Ｓとの距離によって変化する。このような反射光は、モニタ発光時、被写体Ｓに実際に照射された光であると推定されるため、以降、「推定モニタ光」とも記す。推定モニタ光は、総合光から定常光を差し引いて得られる。図３（ａ）、（ｂ）中の符号「Ｒ」は反射光を示し、符号「Ｍ’」は推定モニタ光を示し、符号「Ｃ」は定常光を示す。
【００１９】
図３（ａ）に示したように、総合光が上限値よりも小さい場合、カメラ本体１０１は、総合光を適正に測光することができる。そして、総合光から定常光Ｃを差し引いて、推定モニタ光Ｍ’を得ることができる。このとき、推定モニタ光Ｍ’は、モニタ光Ｍに略一致している。
【００２０】
カメラ本体１０１は、推定モニタ光Ｍ’に基づいて本発光時の照明光の光量を求める。すなわち、推定モニタ光Ｍ’の光量は、リモート照明装置４０と被写体Ｓとの距離に依存して変化する。推定モニタ光Ｍ’が相対的に小さい場合、モニタ光Ｍが被写体Ｓに十分届いていないと推定される。このとき、本実施形態では、本発光時の照明光が相対的に大きくなるように設定される。
【００２１】
また、図３（ｂ）に示したように、定常光Ｃが上限値よりも大きい場合、総合光も上限値より大きくなる。このとき、カメラ本体１０１では、総合光、定常光が共に上限値として取り扱われる。そして、総合光から定常光Ｃを差し引いて推定モニタ光Ｍ’が算出されるから、推定モニタ光Ｍ’が「０」であるとして処理される。このような場合、定常光Ｃが大きいにも関わらず、モニタ光Ｍが被写体Ｓに届いていないと推定され、照明光が相対的に大きくなるように設定される。
【００２２】
定常光Ｃが大きいにも関わらず照明光が大きく設定されると、本発光時に被写体に過剰な光が照射され、撮像された画像にいわゆる白飛びが発生する。また、定常光Ｃが上限値以上にならなくとも、総合光が上限値以上の値を有する場合には、推定モニタ光Ｍ’が実際よりも小さく推定される。このとき、撮影された画像は、オーバー露光気味になると考えられる。
【００２３】
本実施形態の発光制御装置は、以上の現象に鑑み、定常光Ｃの値を予備発光に先立って取得しておき、総合光が上限値以上になるか否かを予測する。そして、総合光が上限値以上になると予測された場合には、カメラ本体１０１に減光フィルタを挿入し、測光可能範囲を拡張するものである。
【００２４】
［発光制御装置の構成］
次に、本実施形態の発光制御装置が適用される、カメラの構成を説明する。
図４は、本実施形態の発光制御装置を含むカメラ本体１０１を説明するためのブロック図である。カメラ本体１０１は、カメラ本体１０１に対して着脱可能なマスタ照明装置１０２を備えたデジタルカメラである。リモート照明装置４０は、カメラ本体１０１とマスタ照明装置１０２を介して通信可能に構成されている。
【００２５】
カメラ本体１０１は、被写体光を結像させる撮像光学系３と、被写体結像をアナログ信号に変換する撮像センサ５と、撮像センサ５の画素選択スイッチのオン、オフを制御する撮像センサ制御部１１と、を備えている。
撮像光学系３は、フォーカスレンズやズームレンズを含む複数のレンズ郡と開口絞り等で構成されており、被写体光を撮像センサ５の受光面に結像させる。図４では、撮像光学系３を１枚のレンズで示すものとする。図４中に、撮像光学系３の光軸に符号Ａを付して示す。
撮像センサ５は、撮像光学系３の像空間側に配置され、撮像光学系３によってその受光面に形成された被写体像を光電変換してアナログ画像信号を生成する。
【００２６】
また、カメラ本体１０１は、減光フィルタ（以下、ＮＤ（Ｎｅｕｔｒａｌ  Ｄｅｎｓｉｔｙ）フィルタと記す）２を備えている。ＮＤフィルタ２は、後述するように、撮像光学系３の光軸Ａ上に挿入するように移動される。また、光軸Ａ上に移動されたＮＤフィルタ２は、光軸Ａ上から外れるように移動される。本実施形態では、以降、ＮＤフィルタ２を光軸Ａ上に移動させることを「ＮＤフィルタをオンする」、光軸Ａ上のＮＤフィルタ２を光軸Ａ上から外れるように移動させることを「ＮＤフィルタをオフする」とも記すものとする。
【００２７】
カメラ本体１０１は、上記した撮像光学系３を駆動する光学系駆動部２３、ＮＤフィルタ２を移動させるＮＤフィルタ駆動部２４を備えている。また、光学系駆動部２３を制御する光学系制御部１９、ＮＤフィルタ駆動部２４を制御するＮＤフィルタ制御部２０を含む駆動制御部２１を備えている。
光学系制御部１９は、撮像光学系３のオートフォーカス（ＡＦ）や絞りを制御するため、光学系駆動部２３を介して撮像光学系３を駆動している。ＮＤフィルタ制御部２０は、ＮＤフィルタ２を所定のタイミングでオン、またはオフするためにＮＤフィルタ駆動部２４を駆動している。
【００２８】
また、カメラ本体１０１は、予測演算部１６を備えている。予測演算部１６は、撮像センサ５によって測光された定常光を定常光閾値と比較し、比較の結果に基づいてＮＤフィルタ制御部２０にＮＤフィルタ２のオン、オフを指示する。また、定常光を定常光閾値との比較の結果に基づいて、後述する照明制御部１４にモニタ発光の指示のタイミングが変更される。このような予測演算部１６については後述する。
【００２９】
また、カメラ本体１０１は、撮像センサ５から読み出された電荷（アナログ画像信号）を処理して画像を生成する画像処理部１２と、生成された画像の画像データが蓄積されるメモリ７、メモリカード８と、画像データをメモリ７またはメモリカード８に蓄積させるためのメモリ制御部１３と、を備えている。
画像処理部１２は、撮像センサ５から出力されたアナログ画像信号を増幅し、ホワイトバランス調整、ガンマ補正、輪郭強調、レベル調整等の各種画像処理を行う。メモリ７はカメラ本体１０１に内蔵される内蔵メモリである。メモリカード８は、カメラのユーザによって任意に装着される外付けのメモリである。
【００３０】
また、カメラ本体１０１は、マスタ照明装置１０２を制御するための照明制御部１４を備えている。照明制御部１４は、モニタ発光時、マスタ照明装置１０２に対し、リモート照明装置４０にモニタ発光を指示する。マスタ照明装置は、指示にしたがってリモート照明装置４０にトリガパルスＰを送信する。また、本実施形態では、照明制御部１４が、本発光時におけるリモート照明装置４０の照明光の光量を決定し、決定した光量を、マスタ照明装置１０２を介してリモート照明装置４０に送信するものとする。
【００３１】
また、本実施形態のカメラ本体１０１は、ＴＴＬ（Ｔｈｒｏｕｇｈ  Ｔｈｅ  Ｌｅｎｓ）調光演算部１５を備えている。ＴＴＬ調光演算部１５は、撮像センサ５によって測光されたモニタ光Ｍに基づいて、本発光時の照明光の光量を調整する。このようなＴＴＬ調光演算部１５によれば、撮像センサ５に実際に測光される光量そのものに基づいて調光を行うことができる。
【００３２】
さらに、カメラ本体１０１は、以上の構成を統括的に制御するシステムコントローラ１０を備えている。システムコントローラ１０は、ＣＰＵ（ｃｅｎｔｒａｌ  ｐｒｏｃｅｓｓｉｎｇ  ｕｎｉｔ）及び演算処理を実行する際に必要なデータや画像信号等を一時的に記憶する揮発性メモリ等を備えた、いわゆるマイコンと呼ばれる小型のコンピュータである。
システムコントローラ１０は、焦点検出（ＡＦ）や露光決定（ＡＥ）等の各種演算を行う。また、システムコントローラ１０は、撮影時、操作部６の図１に示したレリーズボタン１０３の操作によって撮影が開始されると、光学系制御部１９及び撮像センサ制御部１１を制御して、絞りや感度、シャッタースピード等を設定する。そして、撮像センサ５からのアナログ画像信号の読み出し（撮影）が開始されるように制御する。
また、予測演算部１６による定常光と定常光閾値との比較の結果は、システムコントローラ１０を介して照明制御部１４やＮＤフィルタ制御部２０に送られる。
【００３３】
［マスタ照明装置の構成］
マスタ照明装置１０２は、照明光を発光する発光部３１と、発光部３１の光量を設定する発光強度設定部３２と、リモート照明装置４０にトリガパルスＰを送信する信号送信部３３と、ユーザによって操作される操作部３４と、を備えている。
【００３４】
発光部３１は、キセノンランプを備えた光源であり、発光強度設定部３２によって光量が多段階に設定可能に構成されている。信号送信部３３は、カメラ本体１０１の照明制御部１４の指示に応じてトリガパルスＰをリモート照明装置４０に送信する。モニタ発光時のトリガパルスＰは、リモート照明装置４０に対してモニタ発光を実行するように指示する信号である。操作部３４は、本発光時にマスタ照明装置１０２が照明光を発光するか否かをユーザが設定するためのユーザーインターフェースである。
【００３５】
［リモート照明装置の構成］
リモート照明装置４０は、トリガパルスＰを受信する信号受信部４３、受信されたトリガパルスＰに基づいて照明光の発光強度を設定する発光強度設定部４２、発光強度設定部４２によって設定された発光強度の照明光を発光する発光部４１を備えている。
本実施形態では、発光部４１を、発光部３１と同様にキセノンランプとする。モニタ発光にあたり、発光強度設定部４２は、送信されてきたトリガパルスＰにしたがって、発光部４１がモニタ発光を実行する。
【００３６】
［発明の特徴部の構成］
本実施形態の発光制御装置は、モニタ発光を行うリモート照明装置４０を使って多灯撮影を行うカメラ１の発光制御装置である。そして、定常光Ｃを測光する撮像センサ５と、測光された定常光Ｃの光量が、定常光閾値よりも大きいか否か判断する予測演算部１６と、予測演算部１６によって定常光Ｃの光量が定常光閾値よりも大きいと判断された場合には、ＮＤフィルタ２を撮像光学系３の光軸Ａ上に移動させるＮＤフィルタ制御部２０と、ＮＤフィルタ２が光軸Ａ上に移動される場合、ＮＤフィルタ２の移動後にリモート照明装置４０にモニタ発光の開始を指示する照明制御部１４と、を備えている。
【００３７】
撮像センサ５による定常光Ｃの測光は、例えば、カメラ本体１０１の背面液晶に表示されるスルー画を撮像する際に行うことができる。スルー画は、レリーズボタン１０３が押下される以前に撮像センサ５から出力されたアナログ信号によって生成され、保存されることなく順次破棄される画像である。定常光Ｃの光量は、スルー画生成時のアナログ信号の強度から求めることが可能である。
【００３８】
定常光閾値は、モニタ発光時における、撮像センサ５の上限値からモニタ光Ｍの光量を減算した値である。上限値は、撮像センサ５とモニタ発光時の撮像条件とによって決まる既知の値である。一方モニタ光Ｍの光量は、キセノンランプの型格等によって決まる既知の値である。このことから、本実施形態では、上限値からモニタ光Ｍの光量を差し引いて定常光閾値とし、予測演算部１６が備える図示しない記憶装置に予め保存しておくものとする。
また、本実施形態は、複数の種類のリモート照明装置４０をカメラ本体１０１に適応させるため、上記記憶装置にリモート照明装置４０ごとに複数の定常光閾値を保存しておき、リモート照明装置４０に合わせて定常光閾値を選択するようにしてもよい。
【００３９】
このような構成によれば、本実施形態は、モニタ発光に先立って、モニタ発光を行ったとき、総合光が撮像センサ５の上限値以上になるか否かを予測することができる。そして、総合光が上限値以上になることが予測される場合、撮像光学系３の対物側にＮＤフィルタ２を移動させ、ＮＤフィルタ２を通過した総合光を撮像センサ５に測光させることができる。このとき、ＮＤフィルタ２を通過した総合光は、ＮＤフィルタ２によってその光量が減少され、測光可能範囲内の光となる。
【００４０】
このような構成により、本実施形態は、定常光Ｃによらず、モニタ光Ｍを正確に推定することができる。このため、定常光Ｃが撮像センサ５の測光可能範囲の上限値に近い環境下でも、本発光時に適切な照明光を発光し、撮像された画像にオーバー露光や白飛びが発生することを防ぐことができる。
【００４１】
また、本実施形態は、予測演算部１６が、ＮＤフィルタ２が光軸Ａ上に移動されない場合、ＮＤフィルタ２が光軸Ａ上に移動されていない状態でリモート照明装置４０にモニタ発光の開始を指示する。
このような構成により、本実施形態は、定常光Ｃが測光可能範囲内の光である場合にはＮＤフィルタ２を移動させることなくモニタ発光を実行することができる。
【００４２】
また、公知のカメラでは、定常光Ｃが測光されるスルー画の撮像時とモニタ発光時とで、絞り、感度、シャッタースピードといったカメラ本体１０１の撮影条件が異なっている。このため、本実施形態は、予測演算部１６が、定常光Ｃの光量を、定常光Ｃがモニタ発光時の撮影条件で測光された場合の光量に変換する。そして、変換後の値を、定常光閾値と比較するようにする。
このように構成すれば、スルー画から得られる定常光Ｃが、モニタ発光時に定常光閾値以上の値になるか否かを正確に推定することができる。
【００４３】
また、本実施形態では、上記動作において、カメラ本体１０１の撮像条件のうち、絞りのパラメータだけをスルー画撮影の条件で固定しておき、モニタ発光時には感度、シャッタースピードの少なくとも１つを変更する。入射光量の調整は、ＮＤフィルタ２によって行われる。
このように構成すれば、本実施形態は、絞りを変更したことによる絞り誤差の影響を受けることがなく、正確に定常光Ｃや総合光を測光することができる。
【００４４】
［動作の説明（発光制御プログラム）］
図５は、本実施形態の発光制御装置の動作を説明するための図であって、カメラ本体１０１の動作と、レリーズボタン１０３、光学系制御部１９といったカメラ本体１０１の各構成の動作タイミングとを示している。図５に示した各構成の動作は、システムコントローラ１０上で実行されるプログラムによって制御される。
カメラ本体１０１の電源がオンされると、撮像センサ制御部１１が動作を開始し、撮像センサ５からアナログ信号を出力させる（ステップＳ１）。アナログ信号の出力により、図示しない背面液晶にスルー画が表示される。
【００４５】
このとき、レリーズボタン１０３が半押し状態に押下されると（ステップＳ２）、光学系制御部１９が撮像光学系３を制御し、撮影の絞りの決定（絞り動作）、自動焦点合わせ（ＡＦ動作）が行われる（ステップＳ３、Ｓ４）。本実施形態では、このとき、先ず絞りが固定され、続いてＡＦ動作が行われる。固定された絞りは、以降に行われるモニタ発光時にも変更されることがない。
絞り動作、ＡＦ動作の後には、設定された撮像条件で定常光Ｃの測光が行われている（ステップＳ１）。
【００４６】
次に、レリーズボタン１０３が全押し状態で押下されると（ステップＳ５）、予測演算部１６が定常光Ｃの光量をモニタ発光時の撮像条件を使って変換する。変換により、定常光Ｃがモニタ発光時の絞り、感度、シャッタースピードで撮像センサ５に測光された場合の光量が得られる。そして、予測演算部１６は、変換後の光量を、予め設定されている定常光閾値と比較する（ステップＳ６）。
【００４７】
ＮＤフィルタ制御部２０は、予測演算部１６において定常光Ｃが定常光閾値以上であると判断された場合、ＮＤフィルタ２をオンする（ステップＳ７）。光学系制御部１９は、モニタ発光時の撮像条件に合わせて撮像光学系３にＡＦ動作を行わせる（ステップＳ８）。このとき、撮像センサ制御部１１は、モニタ発光時の撮像条件に合わせて撮像センサ５のシャッタースピードと感度とを制御する。
ＮＤフィルタ２がオンされた場合、ＮＤフィルタ２が撮像光学系３の光軸Ａ上にある状態で、照明制御部１４がマスタ照明装置１０２を介してリモート照明装置４０にモニタ発光を指示する（ステップＳ９）。
【００４８】
モニタ発光がされた後に撮像センサ５から出力されたアナログ信号が、総合光として撮像センサ制御部１１からシステムコントローラ１０に出力される。ＴＴＬ調光演算部１５は、総合光から定常光Ｃを差し引いて推定モニタ光Ｍ’を算出する。そして、推定モニタ光Ｍ’から本発光時の照明光の光量を決定する（ステップＳ１０）。続いて、ＮＤフィルタ制御部２０は、ＮＤフィルタ２をオフする（ステップＳ１１）。
なお、本実施形態では、ステップＳ１０において推定モニタ光Ｍ’を算出する際に、ステップ６において変換された後の定常光Ｃの値が総合光の値から差し引かれる。このため、本実施形態は、推定モニタ光Ｍ’を正確に算出することができる。
【００４９】
なお、ステップＳ６において、変換後の定常光Ｃが定常光閾値未満であると判断された場合、ＮＤフィルタ制御部２０によるステップＳ７、ステップＳ１０の動作は行われない。
このとき、照明制御部１４は、ＮＤフィルタ２が撮像光学系３の光軸上に設置されていない状態で、リモート照明装置４０にモニタ発光を指示している。
【００５０】
以上、本実施形態によると、以下の効果を有する。
（１）モニタ発光に先立って定常光を測光し、モニタ発光時に定常光にモニタ光を加えた総合光が撮像センサの測光可能範囲の上限値以上の値になるか否かを予測している。このため、モニタ発光において正確な推定モニタ光が得られるか否かを判断することができる。
また、総合光が上限値以上の値になる場合、モニタ発光時、撮像光学系３の対面側にＮＤフィルタ２が挿入される。このため、モニタ発光時に、撮像センサ５によって総合光の正確な値を得ることができる。そして、正確な総合光の値から定常光Ｃを差し引いて、推定モニタ光の正確な値を得ることができる。
（２）また、総合光が上限値未満である場合、ＮＤフィルタ２はカメラ本体１０１の光軸Ａ上に挿入されることがないから、ＮＤフィルタ２が移動される頻度を最小限にすることができる。
（３）定常光閾値として、モニタ発光時における撮像センサ５の測光可能範囲の上限値からモニタ光の光量を差し引いた値を採用した。このため、モニタ発光時に総合光が撮像センサ５の上限値以上になるか否かを推定することができる。
また、このような処理に際し、スルー画像から得られた定常光Ｃの値が、モニタ発光の撮像条件で測光された場合の光量に変換される。このため、スルー画像から得られた定常光Ｃに基づいて、モニタ発光時の総合光が上限値以上の値になるか否かを正確に判定することができる。
（４）スルー画像の撮影時とモニタ発光時とでカメラ本体１０１の絞りが固定されている。このため、絞り誤差の影響を受けることがなく、定常光Ｃ、総合光を正確に測光することができる。
【００５１】
（変形形態）
以上、説明した実施形態に限定されることなく、以下に示すような種々の変形や変更が可能であり、それらも本発明の範囲内である。
（１）本実施形態では、カメラ本体１０１がオンされたことによってスルー画像が撮影されている。そして、レリーズボタン１０３が半押しされ、絞りや焦点が決定された後に撮影されたスルー画を使って定常光を求めている。しかし、これに限らず、絞り誤差が問題にならない場合には、レリーズボタン１０３が半押しされる以前のスルー画から定常光Ｃを求めてもよい。
（２）また、本実施形態では、マスタ照明装置１０２を、カメラ本体１０１に着脱可能な外付けの照明装置とした。しかし、これに限らず、マスタ照明装置としてリモート照明装置４０と通信する機能を有するものであれば、カメラ本体１０１に内蔵される照明装置をマスタ照明装置として利用するものであってもよい。
（３）さらに、本実施形態では、カメラ本体１０１に備えられる既存の構成である撮像センサ５、ＮＤフィルタ２、ＮＤフィルタ制御部２０、照明制御部１４を使っては光制御装置を構成している。しかし、これに限らず、発光制御装置に特有の構成をカメラ本体１０１に設けるようにしてもよい。
なお、実施形態及び変形形態は、適宜組み合わせて用いることもできるが、詳細な説明は省略する。また、本発明は以上説明した実施形態によって限定されることはない。
【符号の説明】
【００５２】
１：カメラ、２：ＮＤフィルタ、３：撮像光学系、５：撮像センサ、１０：システムコントローラ、１１：撮像センサ制御部、１４：照明制御部、１５：ＴＴＬ調光演算部、１６：予測演算部、２０：ＮＤフィルタ制御部、１０１：カメラ本体、１０２：マスタ照明装置、１０３：レリーズボタン、Ａ：光軸
【図１】
2014035446.tif 000003
【図２】
2014035446.tif 000004
【図３】
2014035446.tif 000005
【図４】
2014035446.tif 000006
【図５】
2014035446.tif 000007